(57)【要約】      （修正有）【課題】単発と、点射と、自動連射モードを選択可能な遊戯銃の弾数選択装置を提供する。【解決手段】内部に設けられるチェンバーを備える銃身と、該チェンバーに設置されるハンマー４１と、該ハンマーを解放する引き金部材２６と、該ハンマーの側面に設けられると共に、外周面に大歯及び小歯を備える単方向輪部材と、該引き金部材と同軸に設置される双方向係止部材３２とを備えるものであり、前記双方向係止部材は、前記単方向輪部材の大歯または小歯に掛けることによって、前記ハンマーを掛止することが調整でき、射撃するモードを選択できるようにする。【選択図】図２
0003156754.tif 000002
【実用新案登録請求の範囲】
【請求項１】
内部に設けられるチェンバーと、該チェンバーの下部に穿設される貫通孔とを備える銃身と、
前記チェンバーに収容され、中央部が回転可能に前記銃身に結合され、前端から延出する係合凸部と、後端から延出すると共に、下方へ向かって前記チェンバーの底部に当接される延伸アームと、中央及び該延伸アームの上面に凹設されると共に、後端に開口が形成される収容凹部と、中央下部から延出すると共に、前記貫通孔を貫通する引き金と、外端が係合凸部の底面に係合されるように、中央の両側に設置される引き金のスプリングとを備える引き金部材と、
底部が前記係合凸部の上面に当接され、中央上部に設けられると共に、前方へ延出する第２解放スイッチと、前端部の外面に形成されると共に、前方に向かって延出する単方向フックと、中央上面に設けられると共に、前方へ延出する第２フックと、後端部が前記収容凹部の後側に位置し、且つ、該収容凹部より低い高さに位置するように、中央に設けられ、後方へ延出する第２延伸板と、該第２延伸板と収容凹部との間に設置される第２スプリングとを備える、中央の底部が回転可能に該収容凹部に装着されると共に、前記引き金と同軸の板体である双方向係止部材と、
前記単方向フックと対応すると共に、側面から延出するスリーブと、底部後側に凹設されると共に、前記係合凸部の前端に係合される係合凹部と、前記第２フックを収容するため、後側の下部に凹設される収容凹部と、該第２フックの前端を係止できるように、該収容凹部の前側に凸設されるフックと、両側に設置されると共に、牽引力を提供するため、該収容凹部に設置されるバネとを備え、前記チェンバーに配置され、底部が前記係合凸部の上面と対応するように回転可能に前記銃身に結合されるハンマーと、
前記単方向フックが掛合すると共に、前記スリーブに周設される単方向回転する単方向輪と、一定の間隔を置いて形成される複数の大歯と、該単方向輪の外周面において隣接する大歯の間に一定の間隔を置いて形成される少なくとも１つの小歯とを備え、該大歯の歯数と該小歯の歯数との合計が８以上である単方向輪部材と、
前記延伸アームの後端上方に位置すると共に、回転可能に前記銃身におけるチェンバーに横貫される制御軸と、該延伸アームの両側と対応すると共に、該制御軸の周囲に凹設される２つの環状溝と、該２つの環状溝の間に間隔を置いて形成される解放ブロックと、深さが該解放ブロックより浅い連射ブロックと、該制御軸の左端に延設される選択スイッチとを備える射撃モード選択スイッチとを有することを特徴とする遊戯銃の弾数選択装置。
【請求項２】
前記銃身は、前記チェンバーの前側、中間、後側と対応すると共に、それぞれ横方向に沿って穿設される前側軸孔と、前記貫通孔と対応する中央軸孔と、モード選択スイッチ孔とを備え、
前記引き金部材は、中央に枢転部が形成され、前記係合凸部と延伸アームがそれぞれ該枢転部の前端と後端から延出し、該延伸アームの後端が前記モード選択スイッチ孔の下側に対応し、前記収容凹部の前端が該枢転部を貫通し、前記中央軸孔と対応すると共に、前記枢転部に横方向に沿って枢軸孔が穿設され、
前記枢軸孔と連通すると共に、前記双方向係止部材の中央に穿設される第２軸孔と、前記中央軸孔と枢軸孔と第２軸孔とを横貫する回転軸とを備えるフック部材を有し、
前記ハンマーは、前記前側軸孔と対応する箇所に軸孔が横方向に沿って穿設され、底部に円弧面が形成され、該円弧面の後側に前記係合凹部が凹設され、前記前側軸孔と軸孔に前側回転軸が横貫され、
前記制御軸は、前記モード選択スイッチ孔に横貫されることを特徴とする請求項１に記載の遊戯銃の弾数選択装置。
【請求項３】
前記単方向輪部材は、前記スリーブより内径が大きく、前記スリーブに周設される回転スリーブと、該回転スリーブの外端から横方向に沿って凹設されるスロットと、該回転スリーブの内端に同心で周設される環状ラチェットとを備え、該環状ラチェットの外周面に前記大歯及び小歯が形成されると共に、該環状ラチェットの外周面に前記単方向フックが係止される、該回転スリーブの内部に設置され、且つ該スリーブに周設される環状スプリングと、該環状スプリングの周囲から延出すると共に、前記単方向輪のスロットに掛止される係合フックとを備えることを特徴とする請求項２に記載の遊戯銃の弾数選択装置。
【請求項４】
前記単方向フックは、前記１つの大歯に係止され、
前記フック部材は、前記双方向係止部材と反対する側に並列されると共に、前記収容凹部に位置する板体の単方向係止部材を有し、
前記単方向係止部材は、回転可能に前記回転軸に横貫されると共に、中央に穿設される第１軸孔と、底部が前記係合凸部の上面に当接され、且つ中央上部に設けられると共に、前方へ延出する第１解放スイッチと、前記第２フックと並列するように、中央上面に設けられると共に、前方へ延出する第１フックと、中央から後端へ延出すると共に、前記収容凹部より低い高さに位置する第１延伸板と、該第１延伸板と収容凹部の底部との間に設置される第１スプリングとを備え、
前記射撃モード選択スイッチは、前記第１延伸板の後端と対応すると共に、前記制御軸の解放ブロックの内面に凸設される押圧凸部と、前記２つの環状溝の間に形成されると共に、該解放ブロックと同様の深さを有する単発口とを備えることを特徴とする請求項２又は３に記載の遊戯銃の弾数選択装置。
【請求項５】
前記引き金部材は、前記収容凹部の両側の前記延伸アームの両側内面にそれぞれ凹設されると共に、前後の位置が互いに対応しない半円状の２つのスプリング凹部を備え、
前記第１延伸板と第２延伸板はそれぞれ、前記２つのスプリング凹部と対応する底部に凹設される第１凹部と第２凹部とを備え、
前記第１スプリングは、前記第１凹部と対応するスプリング凹部との間に設置され、
前記第２スプリングは、前記第２凹部と対応するスプリング凹部との間に設置されることを特徴とする請求項４に記載の遊戯銃の弾数選択装置。
【考案の詳細な説明】
【技術分野】
【０００１】
本考案は遊戯銃の弾数選択装置に関し、特に単発モードと、点射モードと、自動連射モードとを選択可能な遊戯銃の弾数選択装置に関するものである。
【背景技術】
【０００２】
従来の遊戯銃の弾数選択装置は、ＴＷ特許番号Ｍ３２０４２７の「遊戯銃の発射装置」に示すように、スライダと引き金と射撃装置とレバーと係合部材とからなり、該係合部材の角度を調整することにより、単発射撃または三連点射を行うことができる。
しかしながら、前記従来の遊戯銃の弾数選択装置は、弾を連射することはできるが、多種類の部材からなる複雑なものであるので、使用する時にスプリング同士が互いの動作を妨害するのみならず、組立て作業が面倒で、作業時間がかかってしまうといった問題があった。
【０００３】
実銃のハンマーは、約６０度の角度の変化量で撃針の打撃動作を行い、弾薬が爆発する反動で自動的に次弾が装填されるものであるので、この実銃のハンマーと、外周縁に６０度の間隔を置いて設けられる６つの歯を備える単方向輪とからなる構成を遊戯銃に適用すれば、連射を行うことができる。
【考案の概要】
【考案が解決しようとする課題】
【０００４】
しかしながら、従来のガス駆動の遊戯銃は、ハンマー及び角度の変化量が共に実銃より小さいので、スムーズに連射を行うことができないという欠点があった。
【０００５】
そこで、案出されたのが本考案であって、単発モードと、点射モードと、自動連射モードとを選択可能な遊戯銃の弾数選択装置を提供することを目的としている。
【課題を解決するための手段】
【０００６】
本願の請求項１の考案は、内部に設けられるチェンバーと、該チェンバーの下部に穿設される貫通孔とを備える銃身と、
前記チェンバーに収容され、中央部が回転可能に前記銃身に結合され、前端から延出する係合凸部と、後端から延出すると共に、下方へ向かって前記チェンバーの底部に当接される延伸アームと、中央及び該延伸アームの上面に凹設されると共に、後端に開口が形成される収容凹部と、中央下部から延出すると共に、前記貫通孔を貫通する引き金と、外端が係合凸部の底面に係合されるように、中央の両側に設置される引き金のスプリングとを備える引き金部材と、
底部が前記係合凸部の上面に当接され、中央上部に設けられると共に、前方へ延出する第２解放スイッチと、前端部の外面に形成されると共に、前方に向かって延出する単方向フックと、中央上面に設けられると共に、前方へ延出する第２フックと、後端部が前記収容凹部の後側に位置し、且つ、該収容凹部より低い高さに位置するように、中央に設けられ、後方へ延出する第２延伸板と、該第２延伸板と収容凹部との間に設置される第２スプリングとを備える、中央の底部が回転可能に該収容凹部に装着されると共に、前記引き金と同軸の板体である双方向係止部材と、
前記単方向フックと対応すると共に、側面から延出するスリーブと、底部後側に凹設されると共に、前記係合凸部の前端に係合される係合凹部と、前記第２フックを収容するため、後側の下部に凹設される収容凹部と、該第２フックの前端を係止できるように、該収容凹部の前側に凸設されるフックと、両側に設置されると共に、牽引力を提供するため、該収容凹部に設置されるバネとを備え、前記チェンバーに配置され、底部が前記係合凸部の上面と対応するように回転可能に前記銃身に結合されるハンマーと、
前記単方向フックが掛合すると共に、前記スリーブに周設される単方向回転する単方向輪と、一定の間隔を置いて形成される複数の大歯と、該単方向輪の外周面において隣接する大歯の間に一定の間隔を置いて形成される少なくとも１つの小歯とを備え、該大歯の歯数と該小歯の歯数との合計が８以上である単方向輪部材と、
前記延伸アームの後端上方に位置すると共に、回転可能に前記銃身におけるチェンバーに横貫される制御軸と、該延伸アームの両側と対応すると共に、該制御軸の周囲に凹設される２つの環状溝と、該２つの環状溝の間に間隔を置いて形成される解放ブロックと、深さが該解放ブロックより浅い連射ブロックと、該制御軸の左端に延設される選択スイッチとを備える射撃モード選択スイッチとを有することを特徴とする遊戯銃の弾数選択装置、を提供する。
【０００７】
本願の請求項２の考案は、前記銃身は、前記チェンバーの前側、中間、後側と対応すると共に、それぞれ横方向に沿って穿設される前側軸孔と、前記貫通孔と対応する中央軸孔と、モード選択スイッチ孔とを備え、
前記引き金部材は、中央に枢転部が形成され、前記係合凸部と延伸アームがそれぞれ該枢転部の前端と後端から延出し、該延伸アームの後端が前記モード選択スイッチ孔の下側に対応し、前記収容凹部の前端が該枢転部を貫通し、前記中央軸孔と対応すると共に、前記枢転部に横方向に沿って枢軸孔が穿設され、
前記枢軸孔と連通すると共に、前記双方向係止部材の中央に穿設される第２軸孔と、前記中央軸孔と枢軸孔と第２軸孔とを横貫する回転軸とを備えるフック部材を有し、
前記ハンマーは、前記前側軸孔と対応する箇所に軸孔が横方向に沿って穿設され、底部に円弧面が形成され、該円弧面の後側に前記係合凹部が凹設され、前記前側軸孔と軸孔に前側回転軸が横貫され、
前記制御軸は、前記モード選択スイッチ孔に横貫されることを特徴とする請求項１に記載の遊戯銃の弾数選択装置、を提供する。
【０００８】
本願の請求項３の考案は、前記単方向輪部材は、前記スリーブより内径が大きく、前記スリーブに周設される回転スリーブと、該回転スリーブの外端から横方向に沿って凹設されるスロットと、該回転スリーブの内端に同心で周設される環状ラチェットとを備え、該環状ラチェットの外周面に前記大歯及び小歯が形成されると共に、該環状ラチェットの外周面に前記単方向フックが係止される、該回転スリーブの内部に設置され、且つ該スリーブに周設される環状スプリングと、該環状スプリングの周囲から延出すると共に、前記単方向輪のスロットに掛止される係合フックとを備えることを特徴とする請求項２に記載の遊戯銃の弾数選択装置、を提供する。
【０００９】
本願の請求項４の考案は、前記単方向フックは、前記１つの大歯に係止され、
前記フック部材は、前記双方向係止部材と反対する側に並列されると共に、前記収容凹部に位置する板体の単方向係止部材を有し、
前記単方向係止部材は、回転可能に前記回転軸に横貫されると共に、中央に穿設される第１軸孔と、底部が前記係合凸部の上面に当接され、且つ中央上部に設けられると共に、前方へ延出する第１解放スイッチと、前記第２フックと並列するように、中央上面に設けられると共に、前方へ延出する第１フックと、中央から後端へ延出すると共に、前記収容凹部より低い高さに位置する第１延伸板と、該第１延伸板と収容凹部の底部との間に設置される第１スプリングとを備え、
前記射撃モード選択スイッチは、前記第１延伸板の後端と対応すると共に、前記制御軸の解放ブロックの内面に凸設される押圧凸部と、前記２つの環状溝の間に形成されると共に、該解放ブロックと同様の深さを有する単発口とを備えることを特徴とする請求項２又は３に記載の遊戯銃の弾数選択装置、を提供する。
【００１０】
本願の請求項５の考案は、前記引き金部材は、前記収容凹部の両側の前記延伸アームの両側内面にそれぞれ凹設されると共に、前後の位置が互いに対応しない半円状の２つのスプリング凹部を備え、
前記第１延伸板と第２延伸板はそれぞれ、前記２つのスプリング凹部と対応する底部に凹設される第１凹部と第２凹部とを備え
前記第１スプリングは、前記第１凹部と対応するスプリング凹部との間に設置され、
前記第２スプリングは、前記第２凹部と対応するスプリング凹部との間に設置されることを特徴とする請求項４に記載の遊戯銃の弾数選択装置、を提供する。
【考案の効果】
【００１１】
本考案は上記の課題を解決するものであり、単発モードと、点射モードと、自動連射モードとを選択可能な遊戯銃の弾数選択装置を提供することができる。
【図面の簡単な説明】
【００１２】
【図１】本考案に係る遊戯銃の弾数選択装置の側面透視図である。
【図２】本考案に係る遊戯銃の弾数選択装置の部分斜視図である。
【図３】本考案に係る遊戯銃の弾数選択装置の部分分解斜視図である。
【図４】本考案に係る遊戯銃の弾数選択装置における銃身とフック部材と射撃モード選択スイッチを示す部分分解斜視図である。
【図５】本考案に係る遊戯銃の弾数選択装置におけるハンマー部材と単方向輪部材を示す部分分解斜視図である。
【図６】本考案に係る遊戯銃の弾数選択装置における射撃モード選択スイッチの拡大側面図である。
【図７】本考案に係る遊戯銃の弾数選択装置の部分側面断面図である。
【図８】本考案に係る遊戯銃の弾数選択装置における単発射撃の準備状態を示す部分側面断面図である。
【図９】本考案に係る遊戯銃の弾数選択装置における単発射撃の動作状態を示す部分側面断面図である。
【図１０】本考案に係る遊戯銃の弾数選択装置における単発射撃後の状態を示す部分側面断面図である。
【図１１】本考案に係る遊戯銃の弾数選択装置における弾数制御モードによる連射の動作状態を示す部分側面断面図である。
【図１２】本考案に係る遊戯銃の弾数選択装置における弾数制御モードによる連射の動作状態を示す部分側面断面図である。
【図１３】本考案に係る遊戯銃の弾数選択装置における弾数制御モードによる連射の動作状態を示す部分側面断面図である。
【図１４】本考案に係る遊戯銃の弾数選択装置における弾数制御モードによる連射の動作状態を示す部分側面断面図である。
【図１５】本考案に係る遊戯銃の弾数選択装置における連射モードによる連射の連続動作状態を示す部分側面断面図である。
【図１６】本考案に係る遊戯銃の弾数選択装置における連射モードによる連射の連続動作状態を示す部分側面断面図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、以降の実施例そのものに何ら限定されるものではない。
【００１４】
図１は本考案に係る遊戯銃の弾数選択装置の側面透視図であり、図２は本考案に係る遊戯銃の弾数選択装置の部分斜視図であり、図３は本考案に係る遊戯銃の弾数選択装置の部分分解斜視図であり、図４は本考案に係る遊戯銃の弾数選択装置における銃身とフック部材と射撃モード選択スイッチを示す部分分解斜視図であり、図５は本考案に係る遊戯銃の弾数選択装置におけるハンマー部材と単方向輪部材を示す部分分解斜視図であり、図６は本考案に係る遊戯銃のの弾数選択装置における射撃モード選択スイッチの拡大側面図であり、図７は本考案に係る遊戯銃の弾数選択装置の部分側面断面図であり、図８は本考案に係る遊戯銃の弾数選択装置における単発射撃の準備状態を示す部分側面断面図であり、図９は本考案に係る遊戯銃の弾数選択装置における単発射撃の動作状態を示す部分側面断面図であり、図１０は本考案に係る遊戯銃の弾数選択装置における単発射撃後の状態を示す部分側面断面図であり、図１１乃至図１４は本考案に係る遊戯銃の弾数選択装置における弾数制御モードによる連射の動作状態を示す部分側面断面図であり、図１５及び図１６は本考案に係る遊戯銃の弾数選択装置における連射モードによる連射の連続動作状態を示す部分側面断面図である。
【００１５】
図１乃至図７に示すように、本考案に係る遊戯銃の弾数選択装置は、銃身（１０）と、引き金部材（２０）と、フック部材（３０）と、ハンマー部材（４０）と、単方向輪部材（５０）と、射撃モード選択スイッチ（６０）とを有するものである。
【００１６】
その内、前記銃身（１０）は、図１乃至図３に示すように、内部に形成されるチェンバー（１１）と、該チェンバー（１１）の前側、中間、後側と対応すると共に、それぞれ横方向に沿って穿設される前側軸孔（１２）と、中央軸孔（１３）と、モード選択スイッチ孔（１４）と、該中央軸孔（１３）と対応すると共に、該チェンバー（１１）の下部に穿設される貫通孔（１５）とを備える。
【００１７】
前記引き金部材（２０）は、図３乃至図７に示すように、前記チェンバー（１１）の中央軸孔（１３）に設置され、該中央軸孔（１３）と対応するように中央に形成される枢転部（２１）と、該枢転部（２１）の前端から延出する係合凸部（２２）と、後端が前記モード選択スイッチ孔（１４）の下側と対応すると共に、該枢転部（２１）の後端から延出する延伸アーム（２３）と、中央の枢転部（２１）と延伸アーム（２３）の上面部に凹設される収容凹部（２４）と、該延伸アーム（２３）の後端に形成されると共に、該収容凹部（２４）の後端と連通する開口とを備える。
【００１８】
また、前記引き金部材（２０）は、前記中央軸孔（１３）と対応すると共に、前記収容凹部（２４）の前端を貫通するように、前記枢転部（２１）に横方向に沿って穿設される枢軸孔（２５）と、該枢軸孔（２５）の後側に位置する、収容凹部（２４）の右側及び左側の前記延伸アーム（２３）の両側の内面にそれぞれ凹設されると共に、前後位置が互いに対応しない半円状の右側スプリング凹部（２４１）及び左側スプリング凹部（２４２）と、中央の枢転部（２１）の下部から延出すると共に、前記貫通孔（１５）を貫通する引き金（２６）とを備える。
【００１９】
前記フック部材（３０）は、中央底部が回転可能に前記収容凹部（２４）に装着されると共に、それぞれ左側及び右側に並列される単方向係止部材（３１）と双方向係止部材（３２）とを有する。その内、該単方向係止部材（３１）は板体を呈し、該収容凹部（２４）の左側に位置し、前記枢軸孔（２５）と対応すると共に、上部が該収容凹部（２４）から突出するように、該単方向係止部材（３１）の中央に形成される第１枢転部（３１１）と、該枢軸孔（２５）と連通すると共に、該第１枢転部（３１１）に穿設される第１軸孔（３１２）と、底部が前記係合凸部（２２）の上面に当接され、該第１枢転部（３１１）の上部に設けられると共に、前方へ延出する第１解放スイッチ（３１３）と、該第１枢転部（３１１）の上面に設けられると共に、前方へ延出する第１フック（３１４）とを備える。
【００２０】
また、前記単方向係止部材（３１）は、後端部が前記収容凹部（２４）の後側に位置すると共に、該収容凹部（２４）より低い高さに位置するように、前記第１枢転部（３１１）の後端から延出する第１延伸板（３１５）と、前記左側スプリング凹部（２４２）と対応すると共に、該第１延伸板（３１５）の底部に凹設される第１凹部（３１６）と、該第１凹部（３１６）と左側スプリング凹部（２４２）との間に設置されると共に、両端がそれぞれ該収容凹部（２４）の底部と第１凹部（３１６）の上部に当接される第１スプリング（３３）とを備え、該第１スプリング（３３）の設置により、該第１延伸板（３１５）の後端部の上側縁が収容凹部（２４）の後側から突出される構成となる。
【００２１】
前記双方向係止部材（３２）は板体を呈し、前記収容凹部（２４）の右側に位置し、前記引き金（２６）の回転軸と同軸となるように前記枢軸孔（２５）と対応すると共に、上部が前記収容凹部（２４）から突出するように、該双方向係止部材（３２）に形成される第２枢転部（３２１）と、該枢軸孔（２５）と連通すると共に、該第２枢転部（３２１）に穿設される第２軸孔（３２２）と、底部が前記係合凸部（２２）の上面に当接されるように、該第２枢転部（３２１）の中央上部に設けられると共に、前方へ延出する第２解放スイッチ（３２３）と、該第２枢転部（３２１）の前端部の上部外面に形成されると共に、前方の前側軸孔（１２）の後側に向かって延出する単方向フック（３２４）と、前記第１フック（３１４）と並列するように、中央の前記第２枢転部（３２１）の上面に設けられると共に、前方へ延出する第２フック（３２５）とを備える。
【００２２】
また、前記双方向係止部材（３２）は、後端部が前記収容凹部（２４）の後側に位置し、且つ、該収容凹部（２４）より低い高さに位置するように、前記第２枢転部（３２１）に設けられると共に、後方へ延出する第２延伸板（３２６）と、前記右側スプリング凹部（２４１）と対応すると共に、該第２延伸板（３２６）の底部に凹設される第２凹部（３２７）と、該第２延伸板（３２６）の該第２凹部（３２７）と収容凹部（２４）の前記右側スプリング凹部（２４１）との間に設置されると共に、両端がそれぞれ該収容凹部（２４）の底部と第２凹部（３２７）の上部に当接される第２スプリング（３４）とを備え、その第２スプリング（３４）の設置により、該第２延伸板（３２６）の後端部の上側縁が収容凹部（２４）の後側から突出する構成となる。
【００２３】
さらに、前記フック部材（３０）は、前記銃身（１０）の中央軸孔（１３）と、前記引き金部材（２０）の枢軸孔（２５）と、前記単方向係止部材（３１）の第１軸孔（３１２）と、前記双方向係止部材（３２）の第２軸孔（３２２）とを横貫する回転軸（３５）と、前記引き金部材（２０）の中央の枢転部（２１）の両側と対応する共に、外端が係合凸部（２２）の底面に係合されるように、該回転軸（３５）に周設されるトリガースプリング（３６）とを備え、そのトリガースプリング（３６）の設置により、前記引き金部材（２０）における引き金（２６）が前方を向き、延伸アーム（２３）が下方へ向かって前記チェンバー（１１）の底部と当接される構成となる。
【００２４】
前記ハンマー部材（４０）は、ハンマー（４１）と、前側回転軸（４２）と、バネ（４３）とを有する。その内、該ハンマー（４１）は、前記チェンバー（１１）に収容される、前記引き金部材（２０）の上方に配置される直桿体であり、上側が後方と上方に傾斜状に伸び、底部が前記係合凸部（２２）の上面及び前側軸孔（１２）と対応するように回転可能に前記銃身（１０）に結合され、前記前側軸孔（１２）と対応する箇所に横方向に沿って穿設される枢設孔（４１１）と、前記単方向フック（３２４）と対応すると共に、右側面に該枢設孔（４１１）の周囲から延出するスリーブ（４１２）と、底部に形成されると共に、該枢設孔（４１１）を中心として前後方向へ広がる円弧状の円弧面（４１３）と、該円弧面（４１３）の後側に凹設されると共に、前記引き金部材（２０）における係合凸部（２２）の前端に係合される係合凹部（４１４）に凹設されると共に、該引き金部材（２０）における係合凸部（２２）の前端に係合される係合凹部（４１４）とを備える。
【００２５】
また、前記ハンマー（４１）の上側と後側の部分は、前記単方向係止部材（３１）の第１フック（３１４）及び双方向係止部材（３２）の第２フック（３２５）の形状と対応すると共に、該第１フック（３１４）及び第２フック（３２５）を収容するように、下部に凹設される収容凹部（４１５）と、該第１フック（３１４）及び第２フック（３２５）の前端を係止できるように、該収容凹部（４１５）の前側に凸設されるフック（４１６）とを備える。尚、前記フック（４１６）と第１フック（３１４）及び第２フック（３２５）とは脱着可能である。
【００２６】
前記前側回転軸（４２）は、前記銃身（１０）の前側軸孔（１２）と前記ハンマー（４１）の枢設孔（４１１）に横貫され、前記バネ（４３）は、ハンマー（４１）の両側と対応すると共に、該前側転軸（４２）に周設される収容凹部（４１５）に設置され、該ハンマー（４１）を前方へ引っ張る牽引力を提供するものである。
【００２７】
前記単方向輪部材（５０）は、後方へ単方向回転可能な単方向輪（５１）と、環状スプリング（５２）とを有する。その内、該単方向輪（５１）は、内径が前記スリーブ（４１２）より大きい、該スリーブ（４１２）に周設される回転スリーブ（５１１）と、該回転スリーブ（５１１）の外端から横方向に沿って凹設されるスロット（５１２）と、該回転スリーブ（５１１）の内端に同心で周設される環状ラチェット（５１３）と、該環状ラチェット（５１３）の外周面に一定の間隔を置いて形成される３つの大歯（５１４）と、該単方向輪（５１）の外周面における隣接する大歯（５１４）の間に一定の間隔を置いて形成される、該大歯（５１４）より歯たけが小さい２つの小歯（５１５）とを備える。
【００２８】
前記双方向係止部材（３２）における単方向フック（３２４）の前端は、前記単方向輪（５１）の大歯（５１４）または小歯（５１５）と噛合される。該単方向フック（３２４）の前端が１つの大歯（５１４）と噛合する時、前記大歯（５１４）とフック（４１６）との前後位置が双方向係止部材（３２）の単方向フック（３２４）と第２フック（３２５）との前後位置と対応する。また、図５に示すように、前記単方向輪（５１）は、前記環状ラチェット（５１３）の中心に回転孔（５１６）が穿設されることによって、該スリーブ（４１２）に回転可能に周設される。
【００２９】
前記環状スプリング（５２）は、前記回転スリーブ（５１１）の内部に設置され、且つ、前記スリーブ（４１２）に周設され、前記環状スプリング（５２）の周囲から延出すると共に、前記単方向輪（５１）のスロット（５１２）に掛止される係合フック（５２１）を備えるものである。上述の構造によって、単方向輪（５１）は、一定の力で該スリーブ（４１２）と結合すると共に、該スリーブ（４１２）において前方へ回転することができる。または、前記単方向係止部材（３１）の単方向フック（３２４）に掛止されると、後方へ回転することができる。また、本考案に係る遊戯銃の弾数選択装置は、前記環状スプリング（５２）が単方向回転の制御部材として、前記単方向輪（５１）とスリーブ（４１２）との間に設置されるだけでなく、単方向回転ベアリングと交替してもよく、その単方向回転手段に限制はない。
【００３０】
前記射撃モード選択スイッチ（６０）は、前記延伸アーム（２３）と、前記第１延伸板（３１５）と、前記第２延伸板（３２６）との後端上方に位置し、前記延伸アーム（２３）の後端上方における、前記チェンバー（１１）のモード選択スイッチ孔（１４）に回転可能に横貫される制御軸（６１）と、前記収容凹部（２４）の両側の延伸アーム（２３）と対応すると共に、該延伸アーム（２３）が上方へ移動する時、該延伸アーム（２３）を収容する、該制御軸（６１）の周囲に凹設される２つの環状溝（６１１）と、該延伸アーム（２３）が上方へ移動する時、前記第１延伸板（３１５）と第２延伸板（３２６）の後端を収容する、該２つの環状溝（６１１）の間の底側に形成される単発口（６１２）とを備える。
【００３１】
前記射撃モード選択スイッチ（６０）は、前記制御軸（６１）の後側の２つの環状溝（６１１）の間に形成されると共に、前記単発口（６１２）と同様の深さを有する解放ブロック（６１３）と、前記第１延伸板（３１５）の後端と対応するように凸設される押圧凸部（６１４）と、該制御軸（６１）の上側における２つの環状溝（６１１）の間に形成されると共に、深さが単発口（６１２）より浅い連射口（６１５）と、該制御軸（６１）の左端が前記銃身（１０）の表面から突出すると共に、その突出した制御軸（６１）の左端下方から延出する選択スイッチ（６２）とを備える。上述したように、前記連射口（６１５）の深さを、前記単発口（６１２）より浅くすることによって、前記延伸アーム（２３）が上方へ移動すると、前記第１延伸板（３１５）と第２延伸板（３２６）の後端が下方へ押されて移動することができる。また、前記単方向係止部材（３１）の第１フック（３１４）と双方向係止部材（３２）の第２フック（３２５）は回転することができないので、前記ハンマー（４１）のフック（４１６）と掛けられないことになる。
【００３２】
図２と図８乃至図１０に示すように、本考案に係る遊戯銃の弾数選択装置は、単発射撃のモードを選択する時、単発口（６１２）を下方へ向わせるために、選択スイッチ（６２）を下向きに調整する。これにより、使用者が引き金（２６）を引いても、単方向係止部材（３１）及び双方向係止部材（３２）の後端が単発口（６１２）に押されなく、単方向係止部材（３１）の第１フック（３１４）がハンマー（４１）のフック（４１６）に掛止めされることになる。元々ハンマー（４１）は、上向きの状態であり、遊戯銃を発射する前に、使用者がスライダ（Ａ）を後方へ引き、それにハンマー（４１）が連動して後方へ回転することによって、ハンマー（４１）の底部が引き金部材（２０）の前端の係合凸部（２２）と係合し、弾込め動作を完成する（図８に示す）。
【００３３】
図８及び図９に示すように、引き金（２６）を後方へ引き、係合凸部（２２）が係合凹部（４１４）から外れると、ハンマー（４１）が解放され、バネ（４３）に引かれて前方へ揺動し、弾を発射する。そして、発射すると、スライダ（Ａ）が連動して後方へ揺動する。この時、単方向係止部材（３１）の後端の第１延伸板（３１５）は、単発口（６１２）に押されない。故に、第１フック（３１４）が前方に向かってフック（４１６）に掛けられる。ハンマー（４１）は、前方へ揺動しなく、発射することが止まれる、（図１０に示す）。上述のように、単発の発射するモードを完成する。
【００３４】
そして最後に、前記引き金（２６）を解放すると、係合凸部（２２）が上方へ移動し、ハンマー（４１）の底部の係合凹部（４１４）と係合する。また、前記係合凸部（２２）が単方向係止部材（３１）の前端の第１解放スイッチ（３１３）が上方へ移動し、第１フック（３１４）がハンマー（４１）のフック（４１６）から脱出すると、次の発射準備が完了する。
【００３５】
図１１乃至図１４に示すように、本考案に係る遊戯銃の弾数選択装置は、弾数制御モードを選択する時、解放ブロック（６１３）を下方に向かわせるため、選択スイッチ（６２）を前方へ調整する。これにより、使用者が引き金（２６）を引いても、双方向係止部材（３２）の後端が解放ブロック（６１３）に押されなく、第１延伸板（３１５）が押圧凸部（６１４）に押されることから、射撃中は、単方向係止部材（３１）の第１フック（３１４）がハンマー（４１）のフック（４１６）に掛止されることはない。
また、図１１に示すように、スライダ（Ａ）後方へ引き、ハンマー（４１）が連動されて後方へ回転されることによって、ハンマー（４１）の底部の係合凹部（４１４）が引き金部材（２０）の前端の係合凸部（２２）と係合し、弾込め動作を完成する。
【００３６】
図１１及び図１２に示すように、引き金（２６）を後方へ引き、係合凸部（２２）を係合凹部（４１４）から離脱させると共に、ハンマー（４１）を解放すると、ハンマー（４１）がバネ（４３）に牽引されて前方へ揺動し、発射することができる。また、発射した時にハンマー（４１）は前方へ揺動し、単方向輪（５１）にを単方向フック（３２４）に掛止するので、ハンマー（４１）と一緒に前方へ回転されることはない。そして、発射後には、スライダ（Ａ）がハンマー（４１）に連動して後方へ揺動し、単方向輪（５１）がハンマー（４１）に連動して後方へ回転し、単方向フック（３２４）が単方向輪（５１）の小歯（５１５）に掛止される。
【００３７】
この時、前記単方向フック（３２４）は、浅い小歯（５１５）に掛止されているので、第２フック（３２５）の前方へ移動する幅が限られ、ハンマー（４１）のフック（４１６）に掛止されることはなく、引き金（２６）を使用者が後方へ引くと、ハンマー（４１）が再び前方へ揺動して再び弾が発射される。その後、単方向輪（５１）が再度後方へ回転し、単方向フック（３２４）が次の小歯（５１５）に掛止され（図１３を参照）、上述のように、ハンマー（４１）が再び前方へ揺動して三回目の発射が可能となる。
【００３８】
図１４に示すように、ハンマー（４１）が三回の射撃後に後方へ揺動すると、単方向輪（５１）が再度後方へ回転し、単方向フック（３２４）が次の大歯（５１４）に掛止される。このように、前記単方向フック（３２４）は、大歯（５１４）に掛止されるので、前方に向かって移動する距離が増加し、フック（４１６）に掛けられることができ、前側回転軸（４２）が三回目の発射する後には、フック（４１６）が第２フック（３２５）に掛けれることになり、点射することが止まれる。
【００３９】
そして最後に、前記引き金（２６）を解放し、係合凸部（２２）が上方へ移動すると、ハンマー（４１）の底部の係合凹部（４１４）と係合し、また、該係合凸部（２２）が双方向係止部材（３２）の前端における第２解放スイッチ（３２３）を上方へ移動させると、第２フック（３２５）がハンマー（４１）のフック（４１６）から離脱し、次の射撃態勢に入る。上述したように、この構成によれば、連射の弾数制御モードを提供することができる。
【００４０】
さらに、本考案に係る遊戯銃の弾数選択装置における弾数制御モードにおいて、ハンマー（４１）の連射弾数は、単方向輪（５１）に隣接する２つの大歯（５１４）の間の小歯（５１５）の歯数によって決定される。また、該単方向輪（５１）における隣接する大歯（５１４）の間に複数の小歯（５１５）が形成される場合、例えば、二連射や三連射などの連射モードにより、使用者に例えば、射撃ゲームなどを提供することができる。なお、本考案に係る遊戯銃の弾数選択装置は、連射弾数が限制されない。
【００４１】
図２、図１５及び図１６に示すように、本考案に係る遊戯銃の弾数選択装置は、点射モードを選択する時は、連射ブロック（６１５）を下方へ向かせるために、選択スイッチ（６２）を上方へ調整する。これにより、使用者が引き金（２６）を引くと、単方向係止部材（３１）及び双方向係止部材（３２）の後端が連射ブロック（６１５）の内面に押圧され、射撃中に単方向係止部材（３１）の第１フック（３１４）及び双方向係止部材（３２）の第２フック（３２５）がハンマー（４１）のフック（４１６）に掛止されなくなる。
【００４２】
図１５に示すように、スライダ（Ａ）を後方へ引き、ハンマー（４１）を連動させて後方へ回転させることにより、該ハンマー（４１）の底部における係合凹部（４１４）を引き金部材（２０）の前端における係合凸部（２２）と係合させれば、弾込め動作を完成する。
【００４３】
図２、図１５及び図１６に示すように、引き金（２６）を後方へ引き、係合凸部（２２）を係合凹部（４１４）から離脱させてハンマー（４１）を解放すれば、ハンマー（４１）がバネ（４３）に引かれて前方へ揺動し、弾を発射することができる。また、発射時には、前記ハンマー（４１）が前方へ揺動し、第１フック（３１４）及び第２フック（３２５）がハンマー（４１）のフック（４１６）に掛止されないので、ハンマー（４１）が前後方向に揺動に繰り返し、連射が可能となり、引き金（２６）を解放するまで、係合凸部（２２）が上方へ移動し、ハンマー（４１）の底部の係合凹部（４１４）すると係合する手段でハンマー（４１）の連発が止まる。上述のように、連発の発射するモードを完成する。
【産業上の利用可能性】
【００４４】
本考案は上記した構成を有するので、単発モードと、点射モードと、自動連射モードとを選択可能とすることにより、な遊戯銃を提供ことにより、使用者に射撃ゲームの楽しさを存分に味合わせることができる。
【符号の説明】
【００４５】
１０・・・・・・銃身
１１・・・・・・チェンバー
１２・・・・・・前側軸孔
１３・・・・・・中央軸孔
１４・・・・・・モード選択スイッチ孔
１５・・・・・・貫通孔
２０・・・・・・引き金
２１・・・・・・枢転部
２２・・・・・・係合凸部
２３・・・・・・延伸アーム
２４・・・・・・収容凹部
２４１・・・・・右側スプリング凹部
２４２・・・・・左側スプリング凹部
２５・・・・・・枢軸孔
２６・・・・・・引き金
３０・・・・・・フック部材
３１・・・・・・単方向係止部材
３１１・・・・・第１枢転部
３１２・・・・・第１軸孔
３１３・・・・・第１解放スイッチ
３１４・・・・・第１フック
３１５・・・・・第１延伸板
３１６・・・・・第１凹部
３２・・・・・・双方向係止部材
３２１・・・・・第２枢転部
３２２・・・・・第２軸孔
３２３・・・・・第２解放スイッチ
３２４・・・・・単方向フック
３２５・・・・・第２フック
３２６・・・・・第２延伸板
３２７・・・・・第２凹部
３３・・・・・・第１スプリング
３４・・・・・・第２スプリング
３５・・・・・・回転軸
３６・・・・・・トリガースプリング
４０・・・・・・ハンマー部材
４１・・・・・・ハンマー
４１１・・・・・枢設孔
４１２・・・・・スリーブ
４１３・・・・・円弧面
４１４・・・・・係合凹部
４１５・・・・・収容凹部
４１６・・・・・フック
４２・・・・・・前側回転軸
４３・・・・・・バネ
５０・・・・・・単方向輪部材
５１・・・・・・単方向輪
５１１・・・・・回転スリーブ
５１２・・・・・スロット
５１３・・・・・環状ラチェット
５１４・・・・・大歯
５１５・・・・・小歯
５１６・・・・・回転孔
５２・・・・・・環状スプリング
５２１・・・・・係合フック
６０・・・・・・射撃モード選択スイッチ
６１・・・・・・制御軸
６１１・・・・・環状溝
６１２・・・・・単発口
６１３・・・・・解放ブロック
６１４・・・・・押圧凸部
６１５・・・・・連射口
６２・・・・・・選択スイッチ
Ａ・・・・・・・スライダ
【図１】
0003156754.tif 000003
【図２】
0003156754.tif 000004
【図３】
0003156754.tif 000005
【図４】
0003156754.tif 000006
【図５】
0003156754.tif 000007
【図６】
0003156754.tif 000008
【図７】
0003156754.tif 000009
【図８】
0003156754.tif 000010
【図９】
0003156754.tif 000011
【図１０】
0003156754.tif 000012
【図１１】
0003156754.tif 000013
【図１２】
0003156754.tif 000014
【図１３】
0003156754.tif 000015
【図１４】
0003156754.tif 000016
【図１５】
0003156754.tif 000017
【図１６】
0003156754.tif 000018